(57)【要約】 【課題】  任意の場所を撮像するカメラ画像を遠隔地で再生する際に、カメラ画像内の人物について、特定の人物のみ鮮明な画像で再生でき、また、犯罪捜査等では、記録されたカメラ画像内のすべての人物を鮮明な画像で確認できる監視システムおよび監視方法を提供する。【解決手段】  カメラ画像を送信する送信部１０１が、任意の場所を撮像する撮像部１０３と、撮像される映像領域から個別識別子を取得し、その個別識別子を有する人物の画像部分を特定する個別識別子特定部１０４と、その特定した画像部分を抽象化して圧縮した第１の圧縮画像と前記特定した画像部分のみの圧縮画像である第２の圧縮画像とを生成する画像圧縮部１０５と、前記第１及び第２の圧縮画像から、ユーザーの意図する人物の画像部分は鮮明な画像で、それ以外の人物の画像部分は個人特定不可能な画像になるような圧縮画像のストリームを生成する送信画像生成部１０９とを備える。【選択図】  図１
2005210293.tif 000002
【特許請求の範囲】
【請求項１】
任意の場所を撮像している監視カメラの撮像画像を送信する送信部と前記送信部から送信された画像を受信する受信部とを有する監視システムにおいて、
前記送信部は、
任意の場所を撮像する撮像手段と、
前記撮像手段で撮像される映像領域から個別識別子を取得し、前記個別識別子を含む所定の映像領域を特定する個別識別子特定手段と、
前記個別識別子特定手段で特定された特定映像領域を抽象化して圧縮した圧縮画像と前記特定映像領域以外の映像領域の圧縮画像とからなる第１の圧縮画像と、前記特定映像領域毎の圧縮画像である第２の圧縮画像とを生成する画像圧縮手段と、
前記第２の圧縮画像と前記特定映像領域または個別識別子とをそれぞれ関連付けた個別識別子情報を生成する個別識別子情報生成手段と、
前記個別識別子情報を元に前記第１及び第２の圧縮画像からストリームを生成する送信画像生成手段と、
前記送信画像生成手段で生成されたストリームを前記受信部に送信する送信手段とを有する、
ことを特徴とする監視システム。
【請求項２】
請求項１記載の監視システムにおいて、
前記送信部は、前記画像圧縮手段で生成された第１及び第２の圧縮画像と、前記個別識別子情報生成手段で生成された個別識別子情報とを記録媒体に記録する記録手段を有することを特徴とする監視システム。
【請求項３】
請求項１または２に記載の監視システムにおいて、
前記送信部は、
前記特定映像領域または個別識別子と関連づけられ、ユーザーの意図する圧縮画像を特定するためのユーザー識別子を前記受信部から取得するユーザー識別子取得手段を有し、
前記送信画像生成手段は、前記ユーザー識別子と前記個別識別子情報とを元に、前記第１及び第２の圧縮画像から前記受信部に送信するストリームを生成することを特徴とする監視システム。
【請求項４】
請求項３に記載の監視システムにおいて、
前記受信部は、
ユーザー識別子を入力するユーザー識別子入力手段と、
前記ユーザー識別子を送信部に送信するユーザー識別子送信手段と、
前記送信部から送信される前記ストリームを伸張して伸張データを生成する伸張手段と、
前記伸張データを再生可能な映像信号に再生する再生手段とを有することを特徴とする監視システム。
【請求項５】
請求項１〜３のいずれかに記載の監視システムにおいて、
前記画像圧縮部は、１つ以上の前記第２の圧縮画像を生成し、
前記第１の圧縮画像を基本レイヤとし、１つ以上ある前記第２の圧縮画像をそれぞれ高位レイヤとすることを特徴とする監視システム。
【請求項６】
請求項１〜３のいずれかに記載の監視システムにおいて、
前記個別識別子及び前記ユーザー識別子は、個々を一義的に特定できる文字情報あるいは非文字情報であることを特徴とする監視システム。
【請求項７】
請求項１〜３のいずれかに記載の監視システムにおいて、
前記個別識別子及び前記ユーザー識別子は、個人認識ＩＤであることを特徴とする監視システム。
【請求項８】
請求項１〜３のいずれかに記載の監視システムにおいて、
前記個別識別子及び前記ユーザー識別子は、暗証番号であることを特徴とする監視システム。
【請求項９】
請求項１〜３のいずれかに記載の監視システムにおいて、
前記個別識別子及び前記ユーザー識別子は、顔画像情報であることを特徴とする監視システム。
【請求項１０】
請求項１〜３のいずれかに記載の監視システムにおいて、
前記個別識別子及び前記ユーザー識別子は、個人認識ＩＤ、暗証番号、及び顔画像情報のうちの２つ以上の組み合わせであることを特徴とする監視システム。
【請求項１１】
請求項１〜４のいずれかに記載の監視システムにおいて、
前記画像圧縮手段は、ＭＰＥＧ方式のＳＮＲスケーラビリティ機能を用いて、前記撮像手段が撮像した映像領域を圧縮して圧縮画像を生成することを特徴とする監視システム。
【請求項１２】
任意の場所を撮像している監視カメラの撮像画像中の特定画像領域を、デコード時に撮像対象が特定不可能な情報量，および特定可能な情報量となるようにそれぞれエンコードし、
前記特定画像領域に対応する認証情報の入力の有，無に応じて、デコード時に撮像対象が特定不可能な情報量となった前記特定画像領域を含む前記撮像画像，デコード時に撮像対象が特定可能な情報量となった前記特定画像領域を含む前記撮像画像をそれぞれ出力する工程とを含む、
ことを特徴とする監視方法。
【発明の詳細な説明】
【技術分野】
【０００１】
本発明は、任意の撮像対象領域を撮像して人物を含む画像を取得する監視システムおよび監視方法に関し、特に、撮像された人物のプライバシーを保護する技術に関する。
【背景技術】
【０００２】
従来、一般にテレビ電話、テレビ会議、監視カメラ等を用いる遠隔カメラ画像システムでは、画像または音声データを圧縮して送受信するが、このとき、カメラ装置等の画像入力装置や、音声入力装置から入力された情報はすべて相手側に送られていた。
【０００３】
近年では、コンピュータのハードウェアの処理速度の向上、及びＯＳの発展により、インターネットを介して遠隔カメラが撮像した画像を自宅から鑑賞することもできるようになっている。これにより、公共施設等の任意の場所に設置された監視カメラの画像を任意の人が自宅で鑑賞できるようになったが、監視カメラに撮像される人物のプライバシーを侵害する恐れがある。
【０００４】
この問題を解決するために、撮像される人物を認識して、人物の画像を暗号化し、画像を再生する際には人物の顔が認識できないようにする方法が提案されている（例えば特許文献１参照。）。また、プライバシーを保護するために、人物の顔部分の画像にモザイク、ぼかし等の画像処理を行い、処理前画像と処理後画像との差分をとり、その差分画像を暗号化して記録媒体に記録し、通常再生する場合は画像処理後の画像を再生し、犯罪捜査等の目的で、画像中の個人を特定する必要がある場合は、暗号化された差分画像を復号化し、個人を特定できる状態の画像を再生するシステムも提案されている（例えば特許文献２参照。）。また、特定の人物の画像の位置を認識する例として、撮像部に撮像される人物に例えば電子タグ等の個別識別子を発信する発信装置を持たせ、その個別識別子を位置測定アンテナ等で認識する方法が提案されている（例えば特許文献３参照。）。
【特許文献１】特開２００２−１４２２１４号公報（第３−４頁、第１図）
【特許文献２】特開２００１−２８１４８６号公報（第９−１３頁、第１図〜第４図）
【特許文献３】特開２００２−２６９２０９号公報（第８頁、第７図〜第１０図）
【発明の開示】
【発明が解決しようとする課題】
【０００５】
しかしながら、上述の方法では以下に示す課題が生じる。まず、特許文献１に記載の方法では、画像中の人物の顔部分すべてに画像処理を施すため、個人を特定できる状態で画像を再出力することができない。このため、犯罪捜査等で個人の特定が必要な場合、監視システムとしての役割を果たすことができない。
【０００６】
また、特許文献２に記載の方法では、人物の顔部分にモザイク、ぼかし等の画像処理を行い、処理前画像と処理後画像の差分をとり、その差分画像を暗号化して記録媒体に記録しておき、犯罪捜査等の目的で、個人を特定する場合には、暗号化された差分画像を記録媒体から読み出して復号化する必要がある。このため、システムの演算量が多くなり、コストがかかる。さらに、このシステムでは、犯罪捜査等で特定の目的でのみ個人を特定できる画像を再生することができ、遠隔カメラの画像を自宅で鑑賞する際に、個人的に鑑賞したい特定の人物、例えば自分の子供の画像を鑑賞したい場合には、個人特定不可能な画像でしかその特定の人物を鑑賞することができなかった。
【０００７】
よって、本発明では、任意の場所に設置されたカメラの画像を遠隔地で再生する際に、カメラ画像内の人物について、ユーザーが意図する特定の人物についてのみ個人特定可能な画像で再生でき、犯罪捜査等の場合には、カメラ画像内のすべての人物を個人特定可能な画像で確認できるようにした監視システムを提供することを目的とする。
【課題を解決するための手段】
【０００８】
上記課題を解決するために、本発明の請求項１に係る監視システムは、任意の場所を撮像している監視カメラの撮像画像を送信する送信部と前記送信部から送信された画像を受信する受信部とを有し、前記送信部が、任意の場所を撮像する撮像手段と、前記撮像手段で撮像される映像領域から個別識別子を取得し、前記個別識別子を含む所定の映像領域を特定する個別識別子特定手段と、前記個別識別子特定手段で特定された特定映像領域を抽象化して圧縮した圧縮画像と前記特定映像領域以外の映像領域の圧縮画像とからなる第１の圧縮画像と、前記特定映像領域毎の圧縮画像である第２の圧縮画像とを生成する画像圧縮手段と、前記第２の圧縮画像と前記特定映像領域または個別識別子とをそれぞれ関連付けた個別識別子情報を生成する個別識別子情報生成手段と、前記個別識別子情報を元に前記第１及び第２の圧縮画像からストリームを生成する送信画像生成手段と、前記送信画像生成手段で生成されたストリームを前記受信部に送信する送信手段とを有することを特徴とする。
【０００９】
また、本発明の請求項２に係る監視システムは、請求項１記載の監視システムにおいて、前記送信部が、前記画像圧縮手段で生成された第１及び第２の圧縮画像と、前記個別識別子情報生成手段で生成された個別識別子情報とを記録媒体に記録する記録手段を有することを特徴とする。
【００１０】
また、本発明の請求項３に係る監視システムは、請求項１または２に記載の監視システムにおいて、前記送信部が、前記特定映像領域または個別識別子と関連づけられ、ユーザーの意図する圧縮画像を特定するためのユーザー識別子を前記受信部から取得するユーザー識別子取得手段を有し、前記送信画像生成手段は、前記ユーザー識別子と前記個別識別子情報とを元に、前記第１及び第２の圧縮画像から前記受信部に送信するストリームを生成することを特徴とする。
【００１１】
また、本発明の請求項４に係る監視システムは、請求項３に記載の監視システムにおいて、前記受信部は、ユーザー識別子を入力するユーザー識別子入力手段と、前記ユーザー識別子を送信部に送信するユーザー識別子送信手段と、前記送信部から送信される前記ストリームを伸張して伸張データを生成する伸張手段と、前記伸張データを再生可能な映像信号に再生する再生手段とを有することを特徴とする。
【００１２】
また、本発明の請求項５に係る監視システムは、請求項１〜３のいずれかに記載の監視システムにおいて、前記画像圧縮部は、１つ以上の前記第２の圧縮画像を生成し、前記第１の圧縮画像を基本レイヤとし、１つ以上ある前記第２の圧縮画像をそれぞれ高位レイヤとすることを特徴とする。
【００１３】
また、本発明の請求項６に係る監視システムは、請求項１〜３のいずれかに記載の監視システムにおいて、前記個別識別子及び前記ユーザー識別子は、個々を一義的に特定できる文字情報あるいは非文字情報であることを特徴とする。
【００１４】
また、本発明の請求項７に係る監視システムは、請求項１〜３のいずれかに記載の監視システムにおいて、前記個別識別子及び前記ユーザー識別子は、個人認識ＩＤであることを特徴とする。
【００１５】
また、本発明の請求項８に係る監視システムは、請求項１〜３のいずれかに記載の監視システムにおいて、前記個別識別子及び前記ユーザー識別子は、暗証番号であることを特徴とする。
【００１６】
また、本発明の請求項９に係る監視システムは、請求項１〜３のいずれかに記載の監視システムにおいて、前記個別識別子及び前記ユーザー識別子は、顔画像情報であることを特徴とする。
【００１７】
また、本発明の請求項１０に係る監視システムは、請求項１〜３のいずれかに記載の監視システムにおいて、前記個別識別子及び前記ユーザー識別子は、個人認識ＩＤ、暗証番号、及び顔画像情報のうちの２つ以上の組み合わせであることを特徴とする。
【００１８】
また、本発明の請求項１１に係る監視システムは、請求項１〜４のいずれかに記載の監視システムにおいて、前記画像圧縮手段は、ＭＰＥＧ方式のＳＮＲスケーラビリティ機能を用いて、前記撮像手段が撮像した映像領域を圧縮して圧縮画像を生成することを特徴とする。
【００１９】
また、本発明の請求項１２に係る監視方法は、任意の場所を撮像している監視カメラの撮像画像中の特定画像領域を、デコード時に撮像対象が特定不可能な情報量，および特定可能な情報量となるようにそれぞれエンコードし、前記特定画像領域に対応する認証情報の入力の有，無に応じて、デコード時に撮像対象が特定不可能な情報量となった前記特定画像領域を含む前記撮像画像，デコード時に撮像対象が特定可能な情報量となった前記特定画像領域を含む前記撮像画像を出力する工程とを含むことを特徴とする。
【発明の効果】
【００２０】
以上のように、本発明の監視システムは、任意の場所を撮像している監視カメラの撮像画像を送信する送信部と前記送信部から送信された画像を受信する受信部とからなり、前記送信部が、任意の場所を撮像する撮像手段と、前記撮像手段で撮像される映像領域から個別識別子を取得し、前記個別識別子を含む所定の映像領域を特定する個別識別子特定手段と、前記個別識別子特定手段で特定された特定映像領域を抽象化して圧縮した圧縮画像と前記特定映像領域以外の映像領域の圧縮画像とからなる第１の圧縮画像と、前記特定映像領域毎の圧縮画像である第２の圧縮画像とを生成する画像圧縮手段と、前記第２の圧縮画像と前記特定映像領域または個別識別子とをそれぞれ関連付けた個別識別子情報を生成する個別識別子情報生成手段と、前記個別識別子情報を元に前記第１及び第２の圧縮画像からストリームを生成する送信画像生成手段と、前記送信画像生成手段で生成されたストリームを前記受信部に送信する送信手段とを有するようにした。
【００２１】
これにより、任意の場所で撮像されるカメラ画像中に人物等が含まれる場合、個別識別子を有する特定の人物の画像のみを個人特定可能な画像で、個別識別子を有するそれ以外の人物の画像部分を個人特定不可能な画像になるような圧縮画像を生成してカメラ画像を送信して、カメラ画像を遠隔地で再生する際に、カメラ画像中の人物について、個別識別子を有する特定の人物のみの画像を鮮明な画像で再生できる。その結果、個別識別子をもつ人物のプライバシーを保護することができる。
【００２２】
また、本発明の監視システムは、前記特定映像領域または個別識別子と関連づけられ、ユーザーの意図する圧縮画像を特定するためのユーザー識別子を前記受信部から取得するユーザー識別子取得手段を有し、前記送信画像生成手段は、前記ユーザー識別子と前記個別識別子情報とを元に、前記第１及び第２の圧縮画像から前記受信部に送信するストリームを生成するようにした。
【００２３】
これにより、任意の場所で撮像される画像に人物等が含まれる場合、ユーザー識別子に対応する個別識別子を有する特定人物の画像のみを鮮明な画像で、個別識別子を有するそれ以外の人物の画像部分を不鮮明な画像になるような圧縮画像を生成してカメラ画像を送信することができる。その結果、個別識別子を有し、ユーザーが意図する特定の人物の画像のみを個人特定可能な画像で再生できる。すなわち、カメラ画像内の、個別識別子をもつ人物の画像について、個別識別子に関連付けられたユーザー識別子を知らない人がカメラ画像を鑑賞しようとしても個別識別子をもつ人物の画像が個人特定不可能な画像で再生されるため、個別識別子をもつ人物のプライバシーを保護することができる。
【００２４】
また、本発明の監視システムは、前記送信部は、前記画像圧縮手段で生成された第１及び第２の圧縮画像と、前記個別識別子情報生成手段で生成された個別識別子情報とを記録媒体に記録するようにした。
【００２５】
これにより、犯罪捜査等でカメラ画像を確認する場合に、記録媒体に記録された圧縮画像をデコードすることで、すべての人物を個人特定可能な画像で再生することができる。その結果、撮像した画像を犯罪捜査等に使用することができ、監視カメラシステムとしての役割を果たすことができる。
【００２６】
また、本発明の監視方法は、任意の場所を撮像している監視カメラの撮像画像中の特定画像領域を、デコード時に撮像対象が特定不可能な情報量，および特定可能な情報量となるようにそれぞれエンコードし、前記特定画像領域に対応する認証情報の入力の有，無に応じて、デコード時に撮像対象が特定不可能な情報量となった前記特定画像領域を含む前記撮像画像，デコード時に撮像対象が特定可能な情報量となった前記特定画像領域を含む前記撮像画像をそれぞれ出力する工程とを含むようにした。
【００２７】
これにより、任意の場所で撮像されるカメラ画像中に人物等が含まれる場合、個別識別子を有する特定の人物の画像のみを個人特定可能な画像で、個別識別子を有するそれ以外の人物の画像部分を個人特定不可能な画像になるような圧縮画像を生成してカメラ画像を出力して、カメラ画像を再生する際に、カメラ画像中の人物について、識別情報を有する特定の人物のみの画像を鮮明な画像で再生できる。その結果、識別情報をもつ人物のプライバシーを保護することができる。
【発明を実施するための最良の形態】
【００２８】
以下に、本発明に係る監視システムおよび監視方法について図面を参照しつつ説明する。
（実施の形態１）
図１は、本発明の実施の形態１に係る監視システムの構成を示すブロック図である。
【００２９】
図１に示すように、実施の形態１に係る監視システムは、任意の場所を撮像して、撮像画像を送信する送信部１０１と、送信部１０１が送信する画像を受信する受信部１０２とを備える。なお、送信部１０１と受信部１０２とは通信手段として有線、もしくは無線を用いてデータを送受信する。
【００３０】
送信部１０１は、撮像部１０３と、個別識別子特定部１０４と、画像圧縮部１０５と、個別識別子情報生成部１０６と、記録媒体１０７と、ユーザー識別子取得部１０８と、送信画像生成部１０９とを備える。また、受信部１０２は、画像伸張部１１０と、再生部１１１と、ユーザー入力部１１２と、ユーザー識別子送信部１１３とを備える。
【００３１】
図１において、撮像部１０３は公知のＣＣＤ方式等の監視カメラであり、任意の場所を撮像し、撮像対象領域の撮像画像を継続的に取得する仕組みを有する。個別識別子特定部１０４は、撮像部１０３で撮像される撮像対象領域内で個別識別子をもつ人物からその個別識別子を取得し、個別識別子を有する人物の映像領域を特定する。画像圧縮部１０５は撮像部１０３から入力されるアナログ画像信号をＡ／Ｄ変換して圧縮し、ＭＰＥＧストリームに変換する。個別識別子情報生成部１０６は個別識別子特定部１０４にて取得された個別識別子と画像圧縮部１０５にて生成された圧縮画像とを関連付けた個別識別子情報を生成する。記録媒体１０７は画像圧縮部１０５にて生成されたＭＰＥＧストリームと個別識別子情報生成部１０６にて生成された個別識別子情報を記録する。ユーザー識別子取得部１０８は、ユーザーの意図する圧縮画像を特定するためのユーザー識別子を取得する。ここで、ユーザー識別子は個別識別子と関連付けられ、受信部１０２から送信されるものである。送信画像生成部１０９はユーザー識別子取得部１０８にて取得されたユーザー識別子と個別識別子情報生成部１０６にて生成された個別識別子情報とを元に、画像圧縮部１０５で生成されたＭＰＥＧストリームを、受信部１０２に送信可能なＭＰＥＧストリームに変換して受信部１０２に送信する。受信部１０２では、画像伸張部１１０が送信部１０１から送信されたＭＰＥＧストリームをＭＰＥＧデコードし、再生部１１１がＭＰＥＧデコードされたデータを再生可能な映像信号に変換しモニタに出力する。また、ユーザー入力部１１２はユーザーからのユーザー識別子を入力する。識別情報としてのユーザー識別子は、ユーザー識別子送信部１１３から送信部１０１に送信される。
【００３２】
以下、前記ユーザー識別子及び個別識別子について詳細に説明する。ユーザー識別子と個別識別子としては、個々を一義的に特定できるものであればよく、文字情報や非文字情報を使用する。具体的には、個人認識ＩＤ、暗証番号、顔貌認識に用いられる顔画像情報があげられる。本発明の監視システムでは、ユーザー識別子と個別識別子として、個人認識ＩＤ、暗証番号、顔画像情報のいずれかを１つを用いても良いし、２つ以上を組み合わせて使用しても良い。
【００３３】
ここで、個人認識ＩＤとは、撮像部１０３により撮像される人物がもつ個人識別子を発振する発信装置に予め設定されたＩＤを指す。この個人認識ＩＤは、例えば、発信装置に割り当てられているＭＡＣアドレス等のようなユーザー自身が決めることができないＩＤである。暗証番号とはユーザー自身が決めることのできるＩＤであり、ユーザーが前記発信装置にその暗証番号を書き込むことにより、個人を識別することのできるＩＤのことである。顔貌認識とは、例えば、個別識別子特定部１０４が人物の顔を認識し、かつ、ユーザーがユーザー入力部１１２にその人物の写真等の画像を入力した後、個別識別子特定部１０４で特定した顔画像とユーザーがユーザー入力部１１２に入力した写真等の顔画像とを比較することにより、個人特定可能な画像で鑑賞したい人物を特定する認識方法である。
【００３４】
以上のように構成された実施の形態１に係る監視システムの動作について説明する。
以下、送信部１０１の動作について説明する。
【００３５】
まず、送信部１０１では、画像圧縮部１０５が撮像部１０３にて撮像された画像を入力し、画像信号をＡ／Ｄ変換した後、ＭＰＥＧ方式で圧縮符号化する。このとき、個別識別子特定部１０４が個別識別子を含む人物の画像位置を認識し、画像圧縮部１０５が個別識別子をもつすべての人物の画像部分を、ＭＰＥＧデコードした際に個人特定不可能となる程度の粗い量子化ステップサイズで量子化し、符号化する。そして、個別識別子をもつ人物以外の画像部分を、鮮明な画像でＭＰＥＧデコードできる程度の小さな量子化ステップサイズで量子化して符号化する。このようにして符号化されたＭＰＥＧデータを基本レイヤとする。
【００３６】
次に、個別識別子特定部１０４が個別識別子を有する人物の画像位置を認識し、画像圧縮部１０５が個別識別子をもつ人物の画像部分について基本レイヤで符号化されたデータを再現し、元のデータと再現データとの差分をとり、その誤差分だけをＭＰＥＧデコードした際に個人特定可能となる程度の小さな量子化ステップサイズで量子化し、符号化する。これにより、個別識別子をもつ人物の画像部分がＭＰＥＧデコードした際に個人特定可能となる程度の小さな量子化ステップサイズで量子化され、符号化されることになる。このようにして符号化したＭＰＥＧデータを高位レイヤとし、この高位レイヤと前記基本レイヤとでＭＰＥＧストリームを生成し、送信画像生成部１０９と記録媒体１０７とに出力する。記録媒体１０７はこのＭＰＥＧストリームを記録する。ここで、撮像部１０３で撮像された映像に異なる個別識別子をもつ人物が複数存在する場合は、それぞれの人物の画像部分についてそれぞれの高位レイヤを生成する。なお、画像圧縮部１０５は、高位レイヤを生成しＭＰＥＧストリームを生成する際、高位レイヤに対応するレイヤＩＤもしくはヘッダにつけられるＩＤ等を生成する。また、使用する圧縮技術としては、ＭＰＥＧ方式のＳＮＲ（Signal to Noise ratio）スケーラビリティを使用する。ＭＰＥＧ方式には、ビットストリームを部分的に復号することによりＳＮＲなどを可変する機能として、スケーラビリティがある。スケーラビリティは階層符号化と呼ばれる手法で実現される。また、個別識別子特定部１０４で個別識別子をもつ人物の画像の位置を認識する例としては、前述の特許文献３に示されたような、撮像部１０３に撮像される人物に個別識別子を発信する発信装置、例えば電子タグをもたせ、その個別識別子を位置測定アンテナ等で認識する方法が公知である。また、人物の位置を認識する方法として顔貌認識法を用いることでも良い。
【００３７】
次に個別識別子情報生成部１０６は、個別識別子特定部１０４で取得した個別識別子と前記レイヤＩＤもしくはヘッダにつけられるＩＤ等とを関連付けた個別識別子情報を生成し、送信画像生成部１０９と記録媒体１０７とに出力する。記録媒体１０７はこの個別識別子情報を記録する。
【００３８】
以下、個別識別子情報について図２を用いて詳細に説明する。図２は、個別識別子情報生成部１０６にて生成される個別識別子情報のテーブル図である。このテーブルに示される個別識別子は個別識別子特定部１０４で取得される個別識別子を示しており、レイヤＩＤは画像圧縮部１０５で圧縮されたＭＰＥＧストリーム中の高位レイヤを区別するためのＩＤである。図２においては、個別識別子を４桁の暗証番号とする。なお、レイヤＩＤと個別識別子とはそれぞれ１対１で対応している。図２においては、個別識別子１１１１をもつ人物の画像に対応する高位レイヤのレイヤＩＤは０００１であり、個別識別子１２３４をもつ人物の画像に対応する高位レイヤのレイヤＩＤは００１０である。ここで、例えば、ユーザー識別子と個別識別子が同じものである場合、ユーザー識別子取得部１０８で取得したユーザー識別子が１１１１であれば、個別識別子情報より、ＭＰＥＧストリームのレイヤＩＤは０００１であることがわかる。なお、個別識別子とユーザー識別子とは、１対１に対応しているのであれば、同じものでなくてもよい。また、図２では、個別識別子を４桁の暗証番号としたが、桁数はいくらでもよい。また、個別識別子は個人認識ＩＤでも良いし、顔貌認識で認識された顔画像情報でも良い。また、個別識別子として、個人認識ＩＤ、暗証番号、顔画像情報のうちのいずれか２つ以上を使用し、レイヤＩＤと２つ以上の個別識別子とを対応させるようにしても良い。
【００３９】
次に、送信画像生成部１０９は、個別識別子生成部１０６から入力する個別識別子情報とユーザー識別子取得部１０８で取得したユーザー識別子とを元に、画像圧縮部１０５から入力されるＭＰＥＧストリームのすべての高位レイヤからユーザーが個人特定可能な画像で鑑賞したい人物の高位レイヤを抜き出し、その高位レイヤと基本レイヤとで新しくＭＰＥＧストリームを生成し、受信部１０２に送信する。一方、ユーザー識別子取得部１０８でユーザー識別子が取得されない場合は、画像圧縮部１０５で生成された基本レイヤのみでＭＰＥＧストリームを生成し、受信部１０２に送信する。
【００４０】
以下、図２に示す個別識別子情報を用いて、ＭＰＥＧストリームを生成する例について説明する。例えば、ユーザー識別子と個別識別子が同じもので、ユーザー識別子取得部１０８で取得したユーザー識別子が１１１１とする。この場合、個別識別子情報より、ＭＰＥＧストリームのレイヤＩＤは０００１であることがわかる。このことから、送信画像生成部１０９は、画像圧縮部１０５で生成されるＭＰＥＧストリームの基本レイヤと個別識別子情報を元に抜き出されるレイヤＩＤ０００１を示す高位レイヤのみでＭＰＥＧストリームを再度生成して、受信部１０２に送信する。
【００４１】
続いて、受信部１０２の動作について説明する。受信部１０２では、ユーザー入力部１１２がユーザー識別子を入力し、ユーザー識別子送信部１１３が送信部１０１にユーザー識別子を送信する。また、画像伸張部１１０が送信部１０１から送信されたＭＰＥＧストリームをＭＰＥＧデコードし、再生部１１１がＭＰＥＧデコードされたデータを入力してＤ／Ａ変換し、鑑賞可能な映像信号に変換しモニタに出力する。これにより、送信部１０１から送信された画像をユーザーが鑑賞することができる。
【００４２】
以上のように動作する監視システムにおいて、受信部１０２でユーザーがカメラ画像を鑑賞する手順と、送信部１０１から受信部１０２にカメラ画像を送信する手順について、図３及び図４を用いて説明する。
【００４３】
図３は、監視システムの受信部１０２においてユーザーがカメラ画像を鑑賞する際の手順を示すフローチャートである。まず、ユーザーが遠隔地にあるカメラ画像を取得する意志がある場合（ステップＳ３０１）、ユーザー自身でユーザー識別子をもっているかどうかを判断する（ステップＳ３０２）。ユーザー識別子をもつ場合、ユーザーによってユーザー識別子が入力される（ステップＳ３０３）。次に入力されたユーザー識別子を送信部１０１に送信する（ステップＳ３０４）。次に、カメラ画像内の人物においてユーザー識別子と関連付けられた個別識別子をもつ特定人物の画像と風景等の人物以外の画像とを鮮明な画像で、個別識別子を有する、前記特定人物以外の人物の画像を個人特定不可能な画像で再生する（ステップＳ３０５）。これにより、ユーザーは自分が意図する人物を鮮明な画像で鑑賞することができる。一方、ユーザーがユーザー識別子をもたない場合は、個別識別子を有するカメラ画像内の人物の画像をすべて個人特定不可能な画像で再生し（ステップＳ３０６）、ユーザーは再生されたカメラ画像を鑑賞する。
【００４４】
図４は、監視ステムの送信部１０１において、ユーザーからカメラ画像の取得要求があった場合の手順を示すフローチャートである。
【００４５】
図４において、まず、受信部１０２より画像取得要求があったことを認識すると（ステップＳ４０１）と、画像取得要求があった際にユーザー識別子が送信されたかどうか判断する（ステップＳ４０２）。ここで、ユーザー識別子が送信されていた場合、個別識別子情報を確認し、ユーザー識別子に関連付けられた高位レイヤがＭＰＥＧストリーム中に存在するかどうかを判断する（ステップＳ４０３）。ユーザー識別子に関連付けられた高位レイヤがある場合、画像圧縮部１０５で生成されたＭＰＥＧストリームから基本レイヤとユーザー識別子に関連付けられた高位レイヤとを抜き出して再度ＭＰＥＧストリームを生成し（ステップＳ４０４）、受信部１０２に送信する（ステップＳ４０６）。ステップ４０２でユーザー識別子がないと判断した場合、もしくはステップ４０３でユーザー識別子に関連付けられた高位レイヤがないと判断した場合は、画像圧縮部１０５で生成されたＭＰＥＧストリームの基本レイヤのみで再度ＭＰＥＧストリームを生成し（ステップＳ４０５）、受信部１０２に送信する（ステップＳ４０６）。
【００４６】
以上のように、実施の形態１に係る監視システムは、任意の場所を監視カメラで撮像し、撮像した映像領域から個別識別子を有する人物の画像部分を特定する。そして、その特定した画像部分をデコードした際に人物が特定不可能になる程度の量子化ステップサイズで量子化、符号化した圧縮画像と、それ以外の画像部分をデコードした際に鮮明な画像になる程度の量子化ステップサイズで量子化、符号化した圧縮画像とからなる基本レイヤを生成する。さらに、前記特定した画像部分をデコードした際に個人特定可能になる量子化ステップサイズで量子化、符号化した圧縮画像である高位レイヤを生成する。そして、ユーザー識別子に対応する個人識別子をもつ人物の画像については高位レイヤで、それ以外の画像については基本レイヤを用いて、ユーザーが鑑賞するカメラ画像を生成するようにした。これにより、ユーザー識別子を有するユーザーに対してユーザーが意図する人物の画像を鮮明な画像で再生することができる。すなわち、カメラに撮像される個別識別子をもつ人物の画像について、個別識別子に関連付けられたユーザー識別子を知らない人がカメラ画像を鑑賞しようとしても個別識別子をもつ人物の画像が個人特定不可能な画像で再生されるため、プライバシーを保護することができる。
【００４７】
さらに、実施の形態１に係る監視システムは、前記基本レイヤと前記高位レイヤから生成したＭＰＥＧストリームを記録媒体１０７に記録するようにした。これにより、基本レイヤとすべての高位レイヤを含むＭＰＥＧストリームが記録媒体１０７に記録されることになり、犯罪捜査等でカメラ画像を確認する場合に、記録媒体１０７に記録されたＭＰＥＧストリームをＭＰＥＧデコードすることで、すべての人物を個人特定可能な画像で再生することができる。その結果、撮像した画像を犯罪捜査等に使用することができ、監視カメラシステムとしての役割を果たすことができる。
【００４８】
なお、上記実施の形態１では、多数の受信部から同時にユーザー識別子が入力され人物が特定可能な撮像画像を同時に要求された場合に、個人識別子をもつ人物の画像については高位レイヤ、それ以外の画像については基本レイヤを用いて生成したカメラ画像を単にその複数の受信部に送信することで、送信部において各受信部分の画像を再圧縮する必要をなくし、送信部の演算量を激減させるようにしてもよい。
【産業上の利用可能性】
【００４９】
本発明にかかる監視システムおよび監視方法は、任意の場所を撮像するカメラの画像を容易に遠隔地で再生するものであり、不特定の人物の画像については個人特定不可能な画像で再生し、特定の人物については個人特定可能な画像で再生でき、また、犯罪捜査等ですべての人物について個人の特定が必要な場合には、カメラ画像のすべての人物を個人特定可能な状態で再生できるものであり、カメラ画像をプライバシー保護しながら遠隔地で鑑賞できる監視システム及び任意の場所を監視カメラで監視する監視システムとして有用である。
【図面の簡単な説明】
【００５０】
【図１】本発明の実施の形態１に係る監視システムの構成を示すブロック図である。
【図２】本発明の実施の形態１に係る監視システムの個別識別情報部が生成する個別識別子情報を示す図である。
【図３】本発明の実施の形態１に係る監視システムの受信部の処理フローを示すフローチャート図である。
【図４】本発明の実施の形態１に係る監視システムの送信部の処理フローを示すフローチャート図である。
【符号の説明】
【００５１】
１０１  送信部
１０２  受信部
１０３  撮像部
１０４  個別識別子特定部
１０５  画像圧縮部
１０６  個別識別子情報生成部
１０７  記録媒体
１０８  ユーザー識別子取得部
１０９  送信画像生成部
１１０  画像伸張部
１１１  再生部
１１２  ユーザー入力部
１１３  ユーザー識別子送信部
【図１】
2005210293.tif 000003
【図２】
2005210293.tif 000004
【図３】
2005210293.tif 000005
【図４】
2005210293.tif 000006